【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥが基地局（ＢＳ）からページングメッセージを受信するためのページングオケージョンに対応するサブフレームのセットを決定することと、
サブフレームの前記セット内で、前記ページングメッセージを受信するための少なくとも１つの狭帯域領域を決定することと、
サブフレームの前記セット内の前記少なくとも１つの狭帯域領域中で前記ページングメッセージを監視することと
を備える、方法。
【請求項２】
前記ページングメッセージを前記監視することのためのバンドリングサイズを決定することをさらに備え、前記バンドリングサイズが前記ページングメッセージの受信のためのサブフレームの数に対応する、
請求項１に記載の方法。
【請求項３】
前記バンドリングサイズの前記決定が、前記ページングメッセージを受信するための前記決定された少なくとも１つの狭帯域領域に少なくとも部分的に基づく、請求項２に記載の方法。
【請求項４】
前記バンドリングサイズの前記決定が、前記ＢＳからのシグナリングに少なくとも部分的に基づく、請求項２に記載の方法。
【請求項５】
基地局（ＢＳ）によるワイヤレス通信のための方法であって、
ページングメッセージをユーザ機器（ＵＥ）に送信するためのページングオケージョンに対応するサブフレームのセットを決定することと、
サブフレームの前記セット内で、前記ページングメッセージを前記ＵＥに送信するための少なくとも１つの狭帯域領域を決定することと、
サブフレームの前記セットの前記少なくとも１つの狭帯域領域中で前記ページングメッセージを前記ＵＥに送信することと
を備える、方法。
【請求項６】
前記ページングメッセージのためのバンドリングサイズを決定することをさらに備え、前記バンドリングサイズが前記ページングメッセージの送信のためのサブフレームの数に対応する、
請求項５に記載の方法。
【請求項７】
前記バンドリングサイズの前記決定が、前記ページングメッセージを送信するための前記決定された少なくとも１つの狭帯域領域に少なくとも部分的に基づく、請求項６に記載の方法。
【請求項８】
前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、請求項６に記載の方法。
【請求項９】
ワイヤレス通信のための装置であって、
ユーザ機器（ＵＥ）が基地局（ＢＳ）からページングメッセージを受信するためのページングオケージョンに対応するサブフレームのセットを決定するための手段と、
サブフレームの前記セット内で、前記ページングメッセージを受信するための少なくとも１つの狭帯域領域を決定するための手段と、
サブフレームの前記セット内の前記少なくとも１つの狭帯域領域中で前記ページングメッセージを監視するための手段と
を備える、装置。
【請求項１０】
前記ページングメッセージを前記監視することのためのバンドリングサイズを決定するための手段をさらに備え、前記バンドリングサイズが前記ページングメッセージの受信のためのサブフレームの数に対応する、
請求項９に記載の装置。
【請求項１１】
前記バンドリングサイズの前記決定が、前記ページングメッセージを受信するための前記決定された少なくとも１つの狭帯域領域に少なくとも部分的に基づく、請求項１０に記載の装置。
【請求項１２】
ワイヤレス通信のための装置であって、
ページングメッセージをユーザ機器（ＵＥ）に送信するためのページングオケージョンに対応するサブフレームのセットを決定するための手段と、
サブフレームの前記セット内で、前記ページングメッセージを前記ＵＥに送信するための少なくとも１つの狭帯域領域を決定するための手段と、
サブフレームの前記セットの前記少なくとも１つの狭帯域領域中で前記ページングメッセージを前記ＵＥに送信するための手段と
を備える、装置。
【請求項１３】
前記ページングメッセージのためのバンドリングサイズを決定するための手段をさらに備え、前記バンドリングサイズが前記ページングメッセージの送信のためのサブフレームの数に対応する、
請求項１２に記載の装置。
【請求項１４】
前記バンドリングサイズの前記決定が、前記ページングメッセージを送信するための前記決定された少なくとも１つの狭帯域領域に少なくとも部分的に基づく、請求項１３に記載の装置。
【請求項１５】
請求項１〜請求項４または請求項５〜請求項８のうちの一項に記載の方法を実行するための命令を備える、コンピュータプログラム。
【手続補正２】
【補正対象書類名】明細書
【補正対象項目名】０１０４
【補正方法】変更
【補正の内容】
【０１０４】
[0114]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
[Ｃ１]  ユーザ機器（ＵＥ）によるワイヤレス通信のための方法であって、
前記ＵＥが基地局（ＢＳ）からページングメッセージを受信するためのページングオケージョンに対応するサブフレームのセットを決定することと、
サブフレームの前記セット内で、前記ページングメッセージを受信するための少なくとも１つの狭帯域領域を決定することと、
サブフレームの前記セット内の前記少なくとも１つの狭帯域領域中で前記ページングメッセージを監視することと
を備える、方法。
[Ｃ２]  前記ページングメッセージを前記監視することのためのバンドリングサイズを決定することをさらに備え、前記バンドリングサイズが前記ページングメッセージの受信のためのサブフレームの数に対応する、
Ｃ１に記載の方法。
[Ｃ３]  前記バンドリングサイズの前記決定が、前記ページングメッセージを受信するための前記決定された少なくとも１つの狭帯域領域に少なくとも部分的に基づく、Ｃ２に記載の方法。
[Ｃ４]  前記少なくとも１つの狭帯域領域の前記決定が、デフォルト狭帯域領域、前記ＵＥの識別情報（ＩＤ）、または前記ＢＳからのシグナリングのうちの少なくとも１つに少なくとも部分的に基づく、Ｃ１に記載の方法。
[Ｃ５]  前記少なくとも１つの狭帯域領域が複数の狭帯域領域を備え、
前記シグナリングが、前記複数の狭帯域領域のうちの少なくとも第１の狭帯域領域のインジケーションを備える、
Ｃ４に記載の方法。
[Ｃ６]  前記少なくとも１つの狭帯域領域が複数の狭帯域領域を備え、
サブフレームの前記セットと前記少なくとも１つの狭帯域領域とが一緒に決定される、Ｃ１に記載の方法。
[Ｃ７]  前記バンドリングサイズの前記決定が、前記ＢＳからのシグナリングに少なくとも部分的に基づく、Ｃ２に記載の方法。
[Ｃ８]  前記バンドリングサイズの前記決定が、前記ＢＳによって正常に復号された、バンドルランダムアクセスチャネル（ＲＡＣＨ）送信のバンドリングサイズに少なくとも部分的に基づく、Ｃ２に記載の方法。
[Ｃ９]  前記ＢＳからのバンドルブロードキャスト送信を復号することをさらに備え、ここにおいて、前記監視することのための前記バンドリングサイズが、前記ＢＳからの前記バンドルブロードキャスト送信を正常に復号するための試みの数に少なくとも部分的に基づいて決定される、
Ｃ２に記載の方法。
[Ｃ１０]  前記バンドリングサイズの前記決定が、前記ＵＥによって実行される測定に少なくとも部分的に基づく、Ｃ２に記載の方法。
[Ｃ１１]  １つまたは複数の測定報告を前記ＢＳに送信することをさらに備え、ここにおいて、前記バンドリングサイズが前記測定報告に基づいてさらに決定される、
Ｃ１０に記載の方法。
[Ｃ１２]  １つまたは複数のバンドルページングメッセージを復号することを試みることをさらに備え、各バンドルページングメッセージが、知られているバンドリングサイズにおいて前記ＢＳから送信され、ここにおいて、前記バンドリングサイズの前記決定が、前記バンドルページングメッセージのうちの１つまたは複数の成功した復号に少なくとも部分的に基づく、
Ｃ２に記載の方法。
[Ｃ１３]  前記バンドリングサイズの前記決定が、前記ＵＥによる無線リソース制御（ＲＲＣ）接続試みによってトリガされる、Ｃ２に記載の方法。
[Ｃ１４]  前記バンドリングサイズの前記決定が、前記ＵＥによる初期アタッチメントまたはトラッキングエリア更新によってトリガされる、Ｃ２に記載の方法。
[Ｃ１５]  前記バンドリングサイズの前記決定は、前記ＵＥが新しいセルを選択または再選択することによってトリガされる、Ｃ２に記載の方法。
[Ｃ１６]  前記バンドリングサイズの前記決定は、前記ＵＥがある時間期間にわたってページングメッセージを受信しなかったというインジケーションによってトリガされる、Ｃ２に記載の方法。
[Ｃ１７]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ２に記載の方法。
[Ｃ１８]  前記バンドリングサイズの前記決定が前記ＵＥによって周期的にトリガされる、Ｃ２に記載の方法。
[Ｃ１９]  前記ＵＥの接続モードを決定することをさらに備え、ここにおいて、前記バンドリングサイズの前記決定が前記接続モードに少なくとも部分的に基づく、
Ｃ２に記載の方法。
[Ｃ２０]  第１の接続モードは、前記ＵＥが非モビリティモードで展開されることを示し、第２の接続モードは、前記ＵＥがモビリティモードで展開されることを示す、Ｃ１９に記載の方法。
[Ｃ２１]  第１の接続モードは、前記ＵＥが通常電力選好モードで展開されることを示し、第２の接続モードは、前記ＵＥが低電力選好モードで展開されることを示す、Ｃ１９に記載の方法。
[Ｃ２２]  通信すべき第２のＢＳを選択することと、
前記ＵＥが第１の接続モードで展開される場合に、ランダムアクセスプロシージャを実行することと、前記ＵＥが第２の接続モードで展開される場合に、事前構成されたまたは選択された値に少なくとも部分的に基づいて前記バンドリングサイズを決定することとをさらに備える、Ｃ１９に記載の方法。
[Ｃ２３]  基地局（ＢＳ）によるワイヤレス通信のための方法であって、
ページングメッセージをユーザ機器（ＵＥ）に送信するためのページングオケージョンに対応するサブフレームのセットを決定することと、
サブフレームの前記セット内で、前記ページングメッセージを前記ＵＥに送信するための少なくとも１つの狭帯域領域を決定することと、
サブフレームの前記セットの前記少なくとも１つの狭帯域領域中で前記ページングメッセージを前記ＵＥに送信することと
を備える、方法。
[Ｃ２４]  前記ページングメッセージのためのバンドリングサイズを決定することをさらに備え、前記バンドリングサイズが前記ページングメッセージの送信のためのサブフレームの数に対応する、
Ｃ２３に記載の方法。
[Ｃ２５]  前記バンドリングサイズの前記決定が、前記ページングメッセージを送信するための前記決定された少なくとも１つの狭帯域領域に少なくとも部分的に基づく、Ｃ２４に記載の方法。
[Ｃ２６]  前記少なくとも１つの狭帯域領域の前記決定が、デフォルト狭帯域領域または前記ＵＥの識別情報（ＩＤ）のうちの少なくとも１つに少なくとも部分的に基づく、Ｃ２３に記載の方法。
[Ｃ２７]  前記少なくとも１つの狭帯域領域のインジケーションを前記ＵＥにシグナリングすることをさらに備える、Ｃ２３に記載の方法。
[Ｃ２８]  前記少なくとも１つの狭帯域領域が複数の狭帯域領域を備え、
前記シグナリングが、前記複数の狭帯域領域のうちの第１の狭帯域領域のインジケーションを備える、
Ｃ２７に記載の方法。
[Ｃ２９]  前記少なくとも１つの狭帯域領域が複数の狭帯域領域を備え、
サブフレームの前記セットと前記複数の狭帯域領域とが一緒に決定される、
Ｃ２３に記載の方法。
[Ｃ３０]  前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、Ｃ２４に記載の方法。
[Ｃ３１]  バンドルブロードキャスト送信を前記ＵＥに送信することと、
前記ＵＥから、前記バンドルブロードキャスト送信を正常に復号するための、前記ＵＥによる試みの数のインジケーションを受信することと、試みの前記示された数に少なくとも部分的に基づいて前記ページングメッセージのための前記バンドリングサイズを決定することと
をさらに備える、Ｃ２４に記載の方法。
[Ｃ３２]  前記ＵＥから１つまたは複数の測定報告を受信することと、前記１つまたは複数の測定報告に少なくとも部分的に基づいてバンドリングサイズを決定することと
をさらに備える、Ｃ２４に記載の方法。
[Ｃ３３]  １つまたは複数のバンドルページングメッセージを送信することと、各バンドルページングメッセージが、知られているバンドリングサイズにおいて送信され、前記ＵＥによる前記１つまたは複数のバンドルページングメッセージのうちの１つまたは複数の成功した復号に少なくとも部分的に基づいて前記バンドリングサイズを決定することと
をさらに備える、Ｃ２４に記載の方法。
[Ｃ３４]  前記バンドリングサイズの前記決定が、前記ＵＥによる無線リソース制御（ＲＲＣ）接続試みによってトリガされる、Ｃ２４に記載の方法。
[Ｃ３５]  前記バンドリングサイズの前記決定が、前記ＵＥによる初期アタッチまたはトラッキングエリア更新によってトリガされる、Ｃ２４に記載の方法。
[Ｃ３６]  前記バンドリングサイズの前記決定は、前記ＵＥが新しいセルを選択または再選択することによってトリガされる、Ｃ２４に記載の方法。
[Ｃ３７]  前記バンドリングサイズの前記決定は、前記ＵＥがある時間期間にわたってページングメッセージを受信しなかったというインジケーションによってトリガされる、Ｃ２４に記載の方法。
[Ｃ３８]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ２４に記載の方法。
[Ｃ３９]  前記バンドリングサイズの前記決定が前記ＵＥによって周期的にトリガされる、Ｃ２４に記載の方法。
[Ｃ４０]  前記バンドリングサイズの前記決定は、前記ＵＥからの応答が検出されるまで、または、インジケーションがネットワークから受信されるまで、バンドルページングメッセージを前記ＵＥに送信することに基づく、Ｃ２４に記載の方法。
[Ｃ４１]  各連続バンドルページングメッセージのためのバンドリングサイズを増加させることをさらに備える、Ｃ４０に記載の方法。
[Ｃ４２]  ワイヤレス通信のための装置であって、
ユーザ機器（ＵＥ）が基地局（ＢＳ）からページングメッセージを受信するためのページングオケージョンに対応するサブフレームのセットを決定するための手段と、
サブフレームの前記セット内で、前記ページングメッセージを受信するための少なくとも１つの狭帯域領域を決定するための手段と、
サブフレームの前記セット内の前記少なくとも１つの狭帯域領域中で前記ページングメッセージを監視するための手段と
を備える、装置。
[Ｃ４３]  前記ページングメッセージを前記監視することのためのバンドリングサイズを決定するための手段をさらに備え、前記バンドリングサイズが前記ページングメッセージの受信のためのサブフレームの数に対応する、
Ｃ４２に記載の装置。
[Ｃ４４]  前記バンドリングサイズの前記決定が、前記ページングメッセージを受信するための前記決定された少なくとも１つの狭帯域領域に少なくとも部分的に基づく、Ｃ４３に記載の装置。
[Ｃ４５]  前記少なくとも１つの狭帯域領域の前記決定が、デフォルト狭帯域領域、前記ＵＥの識別情報（ＩＤ）、または前記ＢＳからのシグナリングのうちの少なくとも１つに少なくとも部分的に基づく、Ｃ４２に記載の装置。
[Ｃ４６]  前記少なくとも１つの狭帯域領域が複数の狭帯域領域を備え、
前記シグナリングが、前記複数の狭帯域領域のうちの少なくとも第１の狭帯域領域のインジケーションを備える、
Ｃ４５に記載の装置。
[Ｃ４７]  前記少なくとも１つの狭帯域領域が複数の狭帯域領域を備え、
サブフレームの前記セットと前記少なくとも１つの狭帯域領域とが一緒に決定される、Ｃ４２に記載の装置。
[Ｃ４８]  前記バンドリングサイズの前記決定が、前記ＢＳからのシグナリングに少なくとも部分的に基づく、Ｃ４３に記載の装置。
[Ｃ４９]  前記ＢＳによって正常に復号された、バンドルランダムアクセスチャネル（ＲＡＣＨ）送信のバンドリングサイズに少なくとも部分的に基づく前記バンドリングサイズの前記決定、Ｃ４３に記載の装置。
[Ｃ５０]  前記ＢＳからのバンドルブロードキャスト送信を復号するための手段をさらに備え、ここにおいて、前記監視することのための前記バンドリングサイズが、前記ＢＳからの前記バンドルブロードキャスト送信を正常に復号するための試みの数に少なくとも部分的に基づいて決定される、
Ｃ４３に記載の装置。
[Ｃ５１]  前記バンドリングサイズの前記決定が、前記ＵＥによって実行される測定に少なくとも部分的に基づく、Ｃ４３に記載の装置。
[Ｃ５２]  １つまたは複数の測定報告を前記ＢＳに送信するための手段をさらに備え、ここにおいて、前記バンドリングサイズが前記測定報告に基づいてさらに決定される、
Ｃ５１に記載の装置。
[Ｃ５３]  １つまたは複数のバンドルページングメッセージを復号することを試みるための手段をさらに備え、各バンドルページングメッセージが、知られているバンドリングサイズにおいて前記ＢＳから送信され、ここにおいて、前記バンドリングサイズの前記決定が、前記バンドルページングメッセージのうちの１つまたは複数の成功した復号に基づく、
Ｃ４３に記載の装置。
[Ｃ５４]  前記バンドリングサイズの前記決定が、前記ＵＥによる無線リソース制御（ＲＲＣ）接続試みによってトリガされる、Ｃ４３に記載の装置。
[Ｃ５５]  前記バンドリングサイズの前記決定が、前記ＵＥによる初期アタッチメントまたはトラッキングエリア更新によってトリガされる、Ｃ４３に記載の装置。
[Ｃ５６]  前記バンドリングサイズの前記決定は、前記ＵＥが新しいセルを選択または再選択することによってトリガされる、Ｃ４３に記載の装置。
[Ｃ５７]  前記バンドリングサイズの前記決定は、前記ＵＥがある時間期間にわたってページングメッセージを受信しなかったというインジケーションによってトリガされる、Ｃ４３に記載の装置。
[Ｃ５８]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ４３に記載の装置。
[Ｃ５９]  前記バンドリングサイズの前記決定が前記ＵＥによって周期的にトリガされる、Ｃ４３に記載の装置。
[Ｃ６０]  前記ＵＥの接続モードを決定するための手段をさらに備え、ここにおいて、前記バンドリングサイズの前記決定が前記接続モードに少なくとも部分的に基づく、
Ｃ４３に記載の装置。
[Ｃ６１]  第１の接続モードは、前記ＵＥが非モビリティモードで展開されることを示し、第２の接続モードは、前記ＵＥがモビリティモードで展開されることを示す、Ｃ６０に記載の装置。
[Ｃ６２]  第１の接続モードは、前記ＵＥが通常電力選好モードで展開されることを示し、第２の接続モードは、前記ＵＥが低電力選好モードで展開されることを示す、Ｃ６０に記載の装置。
[Ｃ６３]  通信すべき第２のＢＳを選択するための手段と、
前記ＵＥが第１の接続モードで展開される場合に、ランダムアクセスプロシージャを実行するための手段と、
前記ＵＥが第２の接続モードで展開される場合に、事前構成されたまたは選択された値に少なくとも部分的に基づいて前記バンドリングサイズを決定するための手段と
をさらに備える、Ｃ６０に記載の装置。
[Ｃ６４]  ワイヤレス通信のための装置であって、
ページングメッセージをユーザ機器（ＵＥ）に送信するためのページングオケージョンに対応するサブフレームのセットを決定するための手段と、
サブフレームの前記セット内で、前記ページングメッセージを前記ＵＥに送信するための少なくとも１つの狭帯域領域を決定するための手段と、
サブフレームの前記セットの前記少なくとも１つの狭帯域領域中で前記ページングメッセージを前記ＵＥに送信するための手段と
を備える、装置。
[Ｃ６５]  前記ページングメッセージのためのバンドリングサイズを決定するための手段をさらに備え、前記バンドリングサイズが前記ページングメッセージの送信のためのサブフレームの数に対応する、
Ｃ６４に記載の装置。
[Ｃ６６]  前記バンドリングサイズの前記決定が、前記ページングメッセージを送信するための前記決定された少なくとも１つの狭帯域領域に少なくとも部分的に基づく、Ｃ６５に記載の装置。
[Ｃ６７]  前記狭帯域領域の前記決定が、デフォルト狭帯域領域または前記ＵＥの識別情報（ＩＤ）のうちの少なくとも１つに少なくとも部分的に基づく、Ｃ６４に記載の装置。
[Ｃ６８]  前記少なくとも１つの狭帯域領域のインジケーションを前記ＵＥにシグナリングするための手段をさらに備える、Ｃ６４に記載の装置。
[Ｃ６９]  前記少なくとも１つの狭帯域領域が複数の狭帯域領域を備え、
前記シグナリングが、前記複数の狭帯域領域のうちの第１の狭帯域領域のインジケーションを備える、
Ｃ２７に記載の装置。
[Ｃ７０]  前記少なくとも１つの狭帯域領域が複数の狭帯域領域を備え、
サブフレームの前記セットと前記少なくとも１つの狭帯域領域とが一緒に決定される、Ｃ６４に記載の装置。
[Ｃ７１]  前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、Ｃ６５に記載の装置。
[Ｃ７２]  バンドルブロードキャスト送信を前記ＵＥに送信するための手段と、
前記ＵＥから、前記バンドルブロードキャスト送信を正常に復号するための、前記ＵＥによる試みの数のインジケーションを受信するための手段と、
試みの前記示された数に少なくとも部分的に基づいて前記ページングメッセージのための前記バンドリングサイズを決定するための手段と
をさらに備える、Ｃ６５に記載の装置。
[Ｃ７３]  前記ＵＥから１つまたは複数の測定報告を受信するための手段と、
前記１つまたは複数の測定報告に少なくとも部分的に基づいて前記バンドリングサイズを決定するための手段と
をさらに備える、Ｃ６５に記載の装置。
[Ｃ７４]  １つまたは複数のバンドルページングメッセージを送信するための手段と、各バンドルページングメッセージが、知られているバンドリングサイズにおいて送信され、
前記ＵＥによる前記バンドルページングメッセージのうちの１つまたは複数の成功した復号に少なくとも部分的に基づいて前記バンドリングサイズを決定するための手段と
をさらに備える、Ｃ６５に記載の装置。
[Ｃ７５]  前記バンドリングサイズの前記決定が、前記ＵＥによる無線リソース制御（ＲＲＣ）接続試みによってトリガされる、Ｃ６５に記載の装置。
[Ｃ７６]  前記バンドリングサイズの前記決定が、前記ＵＥによる初期アタッチまたはトラッキングエリア更新によってトリガされる、Ｃ６５に記載の装置。
[Ｃ７７]  前記バンドリングサイズの前記決定は、前記ＵＥが新しいセルを選択または再選択することによってトリガされる、Ｃ６５に記載の装置。
[Ｃ７８]  前記バンドリングサイズの前記決定は、前記ＵＥがある時間期間にわたってページングメッセージを受信しなかったというインジケーションによってトリガされる、Ｃ６５に記載の装置。
[Ｃ７９]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ６５に記載の装置。
[Ｃ８０]  前記バンドリングサイズの前記決定が前記ＵＥによって周期的にトリガされるＣ６５に記載の装置。
[Ｃ８１]  前記バンドリングサイズの前記決定は、前記ＵＥからの応答が検出されるまで、または、インジケーションがネットワークから受信されるまで、バンドルページングメッセージを前記ＵＥに送信することに基づく、Ｃ６５に記載の装置。
[Ｃ８２]  各連続バンドルページングメッセージのためのバンドリングサイズを増加させるための手段をさらに備える、Ｃ４０に記載の装置。
[Ｃ８３]  ワイヤレス通信のための装置であって、
ユーザ機器（ＵＥ）が基地局（ＢＳ）からページングメッセージを受信するためのページングオケージョンに対応するサブフレームのセットを決定することと、
サブフレームの前記セット内で、前記ページングメッセージを受信するための少なくとも１つの狭帯域領域を決定することと、
サブフレームの前記セット内の前記少なくとも１つの狭帯域領域中で前記ページングメッセージを監視することと
を行うように構成された少なくとも１つのプロセッサと、
前記少なくとも１つのプロセッサと結合されたメモリと
を備える、装置。
[Ｃ８４]  ワイヤレス通信のための装置であって、
ページングメッセージをユーザ機器（ＵＥ）に送信するためのページングオケージョンに対応するサブフレームのセットを決定することと、
サブフレームの前記セット内で、前記ページングメッセージを前記ＵＥに送信するための少なくとも１つの狭帯域領域を決定することと、
サブフレームの前記セットの前記少なくとも１つの狭帯域領域中で前記ページングメッセージを前記ＵＥに送信することと
を行うように構成された少なくとも１つのプロセッサと、
前記少なくとも１つのプロセッサと結合されたメモリと
を備える、装置。
[Ｃ８５]  ユーザ機器（ＵＥ）が基地局（ＢＳ）からページングメッセージを受信するためのページングオケージョンに対応するサブフレームのセットを決定するためのコードと、
サブフレームの前記セット内で、前記ページングメッセージを受信するための少なくとも１つの狭帯域領域を決定するためのコードと、
サブフレームの前記セット内の前記少なくとも１つの狭帯域領域中で前記ページングメッセージを監視するためのコードと
を備える、コンピュータ実行可能コードを記憶したコンピュータ可読媒体。
[Ｃ８６]  ページングメッセージをユーザ機器（ＵＥ）に送信するためのページングオケージョンに対応するサブフレームのセットを決定するためのコードと、
サブフレームの前記セット内で、前記ページングメッセージを前記ＵＥに送信するための少なくとも１つの狭帯域領域を決定するためのコードと、
サブフレームの前記セットの前記少なくとも１つの狭帯域領域中で前記ページングメッセージを前記ＵＥに送信するためのコードと
を備える、コンピュータ実行可能コードを記憶したコンピュータ可読媒体。